(57)【特許請求の範囲】
【請求項１】
金属板よりなるコネクタ形成部材の面部に、耐熱性の絶縁シートを貼付して複数のコンタクトを保持してなるコネクタであって、
前記各コンタクトは、枠部と、前記枠部の内側に位置して一端部が前記枠部に連なる接点部とを有し、
前記コネクタ形成部材は、同一平面に位置する前記各コンタクトの枠部と、前記各コンタクトの枠部と同一平面に位置して、前記各コンタクトに隣接するフレームと、前記各コンタクトの枠部と同一平面に位置して、前記フレームに前記各コンタクトを連結するタイバーとを備え、
前記絶縁シートは、前記各コンタクトの前記接点部が露出するよう前記コネクタ形成部材の少なくとも一方の面部に貼付され、かつ、前記コンタクトに連なる部分が端子部として露出するよう形成され、
前記各タイバーに、前記各コンタクトと前記フレームとを電気的に絶縁するようにギャップが形成されているとともに、各コンタクトの枠部を前記絶縁シートを介して前記フレームに保持するよう構成したことを特徴とするコネクタ。
【請求項２】
前記絶縁シートは、前記コネクタ形成部材の両方の面部に貼付されてなることを特徴とする請求項１に記載のコネクタ。
【請求項３】
前記絶縁シートは、前記タイバーにおいて前記コンタクトに連なる部分が端子部として露出するよう形成されていることを特徴とする請求項１または請求項２に記載のコネクタ。
【請求項４】
前記コンタクトの前記接点部は、前記枠部に対して板厚方向に折り曲がっていることを特徴とする請求項１ないし請求項３のいずれか１項に記載のコネクタ。
【発明の詳細な説明】
【技術分野】
【０００１】
本発明は、コネクタに関する。
【背景技術】
【０００２】
従来、金属性部材により形成したフレームに、金属性部材により形成した複数のコンタクトを、絶縁性接着剤等を用いて装着するよう構成したコネクタが知られている（例えば、特許文献１参照）。
【先行技術文献】
【特許文献】
【０００３】
【特許文献１】特開２００９−２９５３５１号公報
【発明の概要】
【発明が解決しようとする課題】
【０００４】
しかしながら、上述した従来のコネクタは、絶縁性接着剤の塗布厚みの管理が容易ではなく、接着剤の硬化に時間が掛かるため、効率よく生産を行うことができなかった。これに加えて、近年、コネクタの厚み寸法を小さくする低背化が要望されている。
【０００５】
そこで、本発明は、上述の課題を解決するためになされたものであり、生産性に優れ、かつ低背化を図れるコネクタを提供することを目的としている。
【課題を解決するための手段】
【０００６】
本発明に係るコネクタは、上記目的を達成するため、金属板よりなるコネクタ形成部材の面部に、耐熱性の絶縁シートを貼付して複数のコンタクトを保持してなるコネクタであって、前記各コンタクトは、枠部と、前記枠部の内側に位置して一端部が前記枠部に連なる接点部とを有し、前記コネクタ形成部材は、同一平面に位置する前記各コンタクトの枠部と、前記各コンタクトの枠部と同一平面に位置して、前記各コンタクトに隣接するフレームと、前記各コンタクトの枠部と同一平面に位置して、前記フレームに前記各コンタクトを連結するタイバーとを備え、前記絶縁シートは、前記各コンタクトの前記接点部が露出するよう前記コネクタ形成部材の少なくとも一方の面部に貼付され、かつ、前記コンタクトに連なる部分が端子部として露出するよう形成され、前記各タイバーに、前記各コンタクトと前記フレームとを電気的に絶縁するようにギャップが形成されているとともに、各コンタクトの枠部を前記絶縁シートを介して前記フレームに保持するよう構成している。
【０００７】
この構成により、本発明のコネクタは、コネクタ形成部材に貼付した絶縁シートが、各コンタクトの枠部をフレームに保持する。このため、接着剤の硬化時間を考慮する必要がなくなるとともに、複数のコンタクトの相互の位置決めも不要になり、コネクタの生産性が向上する。また、コンタクトとフレームとが同一平面に位置しているので、コネクタの低背化が図られる。
【０００８】
なお、上記のコネクタにおいて、前記絶縁シートは、前記コネクタ形成部材の両方の面部に貼付されてなる構成としてもよい。
【０００９】
この構成により、本発明のコネクタは、コネクタ形成部材の一方の面部に貼付された絶縁シートが剥離したとしても、各コンタクトの位置を所定の位置に保持させることが可能となる。
【００１０】
また、上記のコネクタにおいて、前記絶縁シートは、前記タイバーにおいて前記コンタクトに連なる部分が端子部として露出するよう形成された構成としてもよい。
【００１１】
この構成により、本発明のコネクタは、タイバーにおいてコンタクトに連なる部分を、基板の導体箔等に対して電気的に接続される端子部として利用できる。
【００１４】
また、上記のコネクタにおいて、前記コンタクトの接点部は、枠部に対して板厚方向に折り曲がっている構成としてもよい。
【００１５】
この構成により、本発明のコネクタは、金属板の弾性によって接点部が、通電対象物に確実に接触する。
【発明の効果】
【００１６】
このように、本発明によれば、生産性に優れ、かつ低背化を図れるコネクタを提供することができる。
【図面の簡単な説明】
【００１７】
【図１】本発明の第１の実施の形態に係るコネクタを上方より見た斜視図である。
【図２】本発明の第１の実施の形態に係るコネクタの平面図である。
【図３】図２のＣ−Ｃ断面図である。
【図４】本発明の第１の実施の形態に係るコネクタに差し込まれるカード媒体を下方より見た斜視図である。
【図５】本発明の第１の実施の形態に係るコネクタに用いるコネクタ形成部材を上方から見た斜視図である。
【図６】本発明の第１の実施の形態に係るコネクタに用いるコネクタ形成部材に絶縁シートを貼付した状態を上方から見た斜視図である。
【図７】本発明の第２の実施の形態に係るコネクタの構成図である。
【図８】本発明の第２の実施の形態に係るコネクタの斜視図である。
【図９】図７のＤ−Ｄ断面図である。
【発明を実施するための形態】
【００１８】
以下、本発明の実施の形態に係るコネクタについて、図面を参照して説明する。
【００１９】
（第１の実施の形態）
図１〜図３に示すように、コネクタ１は、金属板よりなるコネクタ形成部材１０と、絶縁シート２０とを含んで構成され、コネクタ形成部材１０の一方の面部（上面部）に、絶縁シート２０を貼付している。
【００２０】
コネクタ１には、図４に示すようなメモリーカード等のカード媒体３０が、カード媒体差し込み方向手前Ａ側から前方Ｂ側に向けて差し込まれるようになっている。カード媒体３０は、下部に８つの接点部３１を有しており、これら接点部３１は、コネクタ１に対応するカード媒体差し込み方向手前Ａ側から前方Ｂ側へ向かう方向を行とし、かつカード媒体幅方向を列とする２行４列の形態となるよう配置されている。
【００２１】
図５に示すように、コネクタ形成部材１０は、複数のコンタクト１１と、フレーム１２と、複数のタイバー１３〜１６とを備えている。これらコンタクト１１、フレーム１２、およびタイバー１３〜１６は、同一平面に位置している。
【００２２】
コネクタ形成部材１０は、８つのコンタクト１１を有しており、これらコンタクト１１は、コネクタ１に対応するカード媒体差し込み方向手前Ａ側から前方Ｂ側へ向かう方向を行とし、かつカード媒体幅方向を列とする２行４列の形態となるよう配置されている。
【００２３】
各コンタクト１１は、略矩形枠状の枠部１１ａと、枠部１１ａの内側に位置する接点部１１ｂとを有している。接点部１１ｂは、カード媒体差し込み方向に延びて、カード媒体差し込み方向手前Ａ側の端部が枠部１１ａに連なっている。
【００２４】
接点部１１ｂは、枠部１１ａに対して板厚方向に折り曲げられ、カード媒体差し込み方向前方Ｂ側の端部がコネクタ形成部材１０の上面部よりも上方に向けて突出している。この接点部１１ｂは、カード媒体差し込み方向前方Ｂ側の端部がカード媒体３０の接点部３１に接触し、図示上向きに傾斜してばね性を有するようになっている。
【００２５】
フレーム１２は、カード媒体差し込み方向に延び、かつカード媒体幅方向に間隔を置いて対峙する一対の長辺部１２ａと、カード媒体幅方向に延び、かつカード媒体差し込み方向に間隔を置いて対峙する一対の短辺部１２ｂとにより略矩形枠状に形成され、コンタクト１１に隣接して、８つのコンタクト１１を一体に取り囲んでいる。なお、「隣接して」とは、フレーム１２に対してコンタクト１１の枠部１１ａが絶縁シート２０を介して保持され得る程度に、枠部１１ａとフレーム１２との間が近接していることを意味する。
【００２６】
また、フレーム１２は、カード媒体幅方向に延びる補強部１２ｃを有している。補強部１２ｃは、カード媒体差し込み方向手前Ａ側のコンタクト１１の行と、カード媒体差し込み方向前方Ｂ側のコンタクト１１の行との間に介在している。補強部１２ｃの各端部は、それぞれ長辺部１２ａに連なっている。
【００２７】
さらに、フレーム１２は、カード媒体差し込み方向に延びる一対の壁部１２ｄを有している。壁部１２ｄは、長辺部１２ａの縁部に連なって、上向きに突出している。
【００２８】
つまり、フレーム１２は、長辺部１２ａ、短辺部１２ｂ、および壁部１２ｄ等によって、カード媒体３０の挿入経路を構成している。
【００２９】
タイバー１３は、カード媒体差し込み方向手前Ａ側において行を形成している各コンタクト１１と、カード媒体差し込み方向手前Ａ側の短辺部１２ｂとの間に介在するとともに、短辺部１２ｂに各コンタクト１１の枠部１１ａを連結している。
【００３０】
タイバー１４は、カード媒体差し込み方向手前Ａ側において行を形成している各コンタクト１１と、補強部１２ｃとの間に介在するとともに、補強部１２ｃに各コンタクト１１の枠部１１ａを連結している。
【００３１】
タイバー１５は、カード媒体差し込み方向前方Ｂ側において行を形成している各コンタクト１１と、補強部１２ｃとの間に介在するとともに、補強部１２ｃに各コンタクト１１の枠部１１ａを連結している。
【００３２】
タイバー１６は、カード媒体差し込み方向前方Ｂ側において行を形成している各コンタクト１１と、カード媒体差し込み方向前方Ｂ側の短辺部１２ｂとの間に介在するとともに、短辺部１２ｂに各コンタクト１１の枠部１１ａを連結している。
【００３３】
コネクタ形成部材１０は、例えば、銅合金よりなる金属板に打ち抜きプレス加工を施したもので、当初は、コンタクト１１、フレーム１２、およびタイバー１３〜１６が、一体に形成されている。なお、コネクタ形成部材１０は、金属板にフォトエッチング加工を施したものであってもよい。
【００３４】
さらに、コネクタ形成部材１０は、各タイバー１３〜１６のそれぞれに、各コンタクト１１とフレーム１２とを電気的に絶縁するギャップＧを形成している（図２参照）。
【００３５】
絶縁シート２０は、例えば、ＬＣＰ（Liquid Crystal Polymer：液晶ポリマー）等の耐熱性が高い合成樹脂により形成され、コネクタ形成部材１０の少なくとも一方の面部である上面部に接着により貼付されている。
【００３６】
図６に示すように、絶縁シート２０には、各コンタクト１１の接点部１１ｂを露出するための開口部２１と、各タイバー１３を露出するための開口部２２と、各タイバー１４，１５を露出するための開口部２３と、各タイバー１６を露出するための開口部２４とが形成されている。
【００３７】
つまり、絶縁シート２０は、コネクタ形成部材１０の上面部において、フレーム１２の長辺部１２ａおよび短辺部１２ｂと、各コンタクト１１の枠部１１ａとを主に被覆するようになっている。
【００３８】
また、各タイバー１４，１６においてコンタクト１１に連なる部分は、端子部１１ｃとして利用されるようになっている。この端子部１１ｃは、例えば、図示していない基板の導体箔に対して半田付けされる。
【００３９】
次に、コネクタ１の組立手順を説明する。
【００４０】
図６に示すように、コンタクト１１、フレーム１２、およびタイバー１３〜１６を一体に形成したコネクタ形成部材１０の上面部に、開口部２１，２２，２３，２４を形成した絶縁シート２０を接着する。
【００４１】
これにより、フレーム１２の長辺部１２ａおよび短辺部１２ｂと、各コンタクト１１の枠部１１ａは、絶縁シート２０により被覆される。また、各コンタクト１１の接点部１１ｂは、開口部２１から露出し、各タイバー１３は、開口部２２から露出し、各タイバー１４，１５は開口部２３から露出し、各タイバー１６は、開口部２４から露出する。
【００４２】
次いで、各タイバー１３〜１６のそれぞれをカード媒体差し込み方向の中間部分で切除して、各コンタクト１１とフレーム１２とを電気的に絶縁するギャップＧを形成する。
【００４３】
これにより、各コンタクト１１は、互いに導通せずに、電気的に独立した状態になる。また、各コンタクト１１の枠部１１ａは、絶縁シート２０により一体に保持される。
【００４４】
さらに、各タイバー１４，１６においてコンタクト１１に連なる部分は、端子部１１ｃとして利用する。
【００４５】
次に、コネクタ１の作用を説明する。
【００４６】
コネクタ１は、コネクタ形成部材１０に接着した絶縁シート２０が、各コンタクト１１の枠部１１ａを一体に保持するため、従来のものと比べて、接着剤の硬化時間を考慮する必要がなくなるとともに、複数のコンタクト１１の相互の位置決めも不要になり、コネクタ１の生産性が向上する。また、コンタクト１１とフレーム１２とが同一平面に位置しているので、コネクタ１の低背化を図ることができる。
【００４７】
コネクタ１は、各タイバー１４，１６が絶縁シート２０に被覆されずに露出しているため、タイバー１４，１６においてコンタクト１１に連なる部分を、基板の導体箔等に対して電気的に接続される端子部１１ｃとして利用できる。
【００４８】
コネクタ１は、コネクタ形成部材１０が金属板に打ち抜きプレス加工を施したものであるため、複数のコンタクト１１を１つの打ち抜きプレス金型で同時に成形でき、低コスト化を図ることができる。なお、コネクタ形成部材１０が金属板にフォトエッチング加工を施したものである場合も、複数のコンタクト１１を同時に形成でき、低コスト化を図ることができる。
【００４９】
コネクタ１は、コンタクト１１の接点部１１ｂが枠部１１ａに対して板厚方向に折り曲げられているため、金属板の弾性によって接点部１１ｂを、カード媒体３０の接点部３１に確実に接触させることができる。
【００５０】
なお、本発明に係るコネクタの技術的範囲は、上述した実施の形態に限定されるものではなく、本発明の範囲を逸脱しない限り、特許請求の範囲に記載した各構成要素の種々の変更を含むものである。
【００５１】
（第２の実施の形態）
この第２の実施の形態は、コネクタ形成部材１０の一方の面部（上面部）に絶縁シート２０を貼付した第１の実施の形態に加え、他方の面部（下面部）にも、開口部２１Ａ，２２Ａ，２３Ａ，２４Ａを形成した絶縁シート２０Ａを貼付したものである。これにより、各コンタクト１１の枠部１１ａを絶縁シート２０，２０Ａにより保持するようにした構成のコネクタ１Ａとなっている。以下に、コネクタ１Ａの構成について具体的に説明する。
【００５２】
なお、図７は、図７（ａ）を基準とした六面図であり、図７（ａ）はコネクタ１Ａの上面部側を示す正面図、図７（ｂ）はコネクタ１Ａの下面部側を示す背面図、図７（ｃ）はコネクタ１Ａの底面図、図７（ｄ）はコネクタ１Ａの平面図、図７（ｅ）はコネクタ１Ａの左側面図、図７（ｆ）はコネクタ１Ａの右側面図である。また、図８（ａ）はコネクタ１Ａの下面部側を示す斜視図、図８（ｂ）はコネクタ１Ａの上面部側を示す斜視図である。さらに、図９（ａ）はコネクタ１Ａの一部を切り欠いて示す上面部側の斜視図、図９（ｂ）は図７（ａ），（ｂ）のＤ−Ｄ断面を示すコネクタ１Ａの断面図である。また、図７〜図９では、フレーム１２におけるカード媒体差し込み方向に延びる一対の壁部１２ｄの図示を省略している。
【００５３】
図７〜図９に示すように、コネクタ１Ａは、コネクタ形成部材１０の上面部に絶縁シート２０が接着により貼付されるとともに、コネクタ形成部材１０の下面部に絶縁シート２０Ａが接着により貼付されている。
【００５４】
絶縁シート２０Ａには、各コンタクト１１の接点部１１ｂを露出するための開口部２１Ａと、各タイバー１３を露出するための開口部２２Ａと、各タイバー１４，１５を露出するための開口部２３Ａと、各タイバー１６を露出するための開口部２４Ａとが形成されている。
【００５５】
つまり、絶縁シート２０Ａは、コネクタ形成部材１０の下面部において、フレーム１２の長辺部１２ａおよび短辺部１２ｂと、各コンタクト１１の枠部１１ａとを主に被覆するようになっている。
【００５６】
ただし、各タイバー１４，１６は、枠部１１ａに対して板厚方向に接点部１１ｂとは逆に折り曲げられ、カード媒体差し込み方向前方Ｂ側の端部がコネクタ形成部材１０の下面部よりも下方に向けて突出している。例えば、各タイバー１４，１６は、カード媒体差し込み方向前方Ｂ側の端部が絶縁シート２０Ａの厚さに応じた分だけ基板側へ折り曲げられ、端子部１１ｃと絶縁シート２０Ａとが同一平面に位置するようにして、基板に対向して配置されるようになっている。
【００５７】
上記したように、コネクタ形成部材１０の下面部にも絶縁シート２０Ａを貼付するようにしたコネクタ１Ａは、生産性を向上でき、低背化を図ることができるとともに、タイバー１４，１６を端子部１１ｃとして利用できるのみでなく、たとえカード媒体３０の抜き差しに伴ってコネクタ形成部材１０の上面部に貼付された絶縁シート２０が剥離したとしても、各コンタクト１１の位置を所定の位置に保持させることが可能となる。
【００５８】
特に、コネクタ形成部材１０の下面部に絶縁シート２０Ａを貼付するようにしたコネクタ１Ａは、タイバー１４，１６を端子部１１ｃとして利用する場合において、基板との半田付け時の半田の流れ込み（半田上がり）を防止することができる。つまり、コネクタ形成部材１０の下面部に貼付された絶縁シート２０Ａは、コンタクト１の下面側に溶融した状態の半田が流れ込むのを阻止できるようになるため、各コンタクト１１の厚さ方向の配設平坦度（コプラナリティ）が損われるのを抑制することができる。
【００５９】
なお、コネクタ形成部材１０の下面部に貼付される絶縁シート２０Ａは、上面部に貼付される絶縁シート２０と別体とした場合について説明したが、これに限らず、例えば絶縁シート２０と絶縁シート２０Ａとを一体とし、折り返してコネクタ形成部材１０の上面部および下面部に貼付するようにしてもよい。
【００６０】
また、コネクタ形成部材１０の下面部（少なくとも一方の面部）に絶縁シート２０Ａを貼付するようにしたコネクタとしては、上面部に貼付される絶縁シート２０を省略することもできる。
【００６１】
以上のように、本発明に係るコネクタは、生産性に優れ、かつ低背化を達成できるという効果を奏するもので、各種の基板アッセンブリ等に有用である。
【符号の説明】
【００６２】
１，１Ａ…コネクタ、１０…コネクタ形成部材、１１…コンタクト、１１ａ…枠部、１１ｂ…接点部、１１ｃ…端子部、１２…フレーム、１３，１４，１５，１６…タイバー、２０，２０Ａ…絶縁シート、Ｇ…ギャップ
【図１】
0005904236.tif 000002
【図２】
0005904236.tif 000003
【図３】
0005904236.tif 000004
【図４】
0005904236.tif 000005
【図５】
0005904236.tif 000006
【図６】
0005904236.tif 000007
【図７】
0005904236.tif 000008
【図８】
0005904236.tif 000009
【図９】
0005904236.tif 000010